(57)【要約】【課題】ダイオキシンのような有毒な有機ハロゲン化物を処理する方法として、有機ハロゲン化物を活性炭に吸着させて除去する方法、有機ハロゲン化物を酸化鉄に接触させて処理する方法、還元剤で処理する方法等が知られているが、いずれの方法も有機ハロゲン化物量を効果的に減少させる有効な方法ではなかった。【解決手段】本発明方法は、廃棄物をマイナスイオンを発生する天然物質と接触させて処理し、廃棄物中の有機ハロゲン化物量を低減化させる方法であり、一旦生成した有機ハロゲン化物の量を低減化させることができるとともに、有機ハロゲン化物の生成を抑制することができ、安全かつ確実に廃棄物中の有機ハロゲン化物量を低減化することができる。【選択図】  なし【特許請求の範囲】
【請求項１】
廃棄物を、マイナスイオンを発生する天然物質と接触させて処理することを特徴とする廃棄物中の有機ハロゲン化物量の低減化方法。
【請求項２】
廃棄物を焼却して生成した有機ハロゲン化物を含む排煙を、マイナスイオンを発生する天然物質と接触させて処理することを特徴とする廃棄物中の有機ハロゲン化物量の低減化方法。
【請求項３】
廃棄物を焼却して生成した飛灰に、マイナスイオンを発生する天然物質を添加して処理することを特徴とする廃棄物中の有機ハロゲン化物量の低減化方法。
【請求項４】
マイナスイオンを発生する天然物質の存在下で廃棄物を焼却することを特徴とする廃棄物中の有機ハロゲン化物量の低減化方法。
【請求項５】
マイナスイオンを発生する天然物質が、水晶、電気石、麦飯石、蛍石、石英から選ばれた１種又は２種以上である請求項１〜４のいずれかに記載の廃棄物中の有機ハロゲン化物量の低減化方法。
【発明の詳細な説明】
【０００１】
【発明の属する技術分野】
本発明は、廃水、排煙、飛灰等の廃棄物中の有機ハロゲン化物量を低減化する方法に関する。
【０００２】
【従来の技術】
近年、プラスチック廃棄物量の増加に伴い、廃棄物を焼却するとダイオキシンのような有毒な有機ハロゲン化物が多量に生成し、これが排煙中に含まれて排出され環境を汚染する可能性があることが指摘されている。また排煙中から回収された飛灰にも有機ハロゲン化物が含有され、飛灰中から溶出した有機ハロゲン化物により汚染が生じる可能性も指摘されている。
【０００３】
廃棄物中の有機ハロゲン化物を処理する方法として、酸化鉄や還元剤を用いる方法や、特許文献１に記載されているように廃棄物を活性炭等の吸着剤と接触させて有機ハロゲン化物の前駆体等を吸着して除去する方法等が知られている。
【０００４】
【特許文献１】
特開平１０−２９６０５０号
【０００５】
【発明が解決しようとする課題】
しかしながら、酸化鉄を用いる方法は、６５０℃以上の高温で処理しないと効果がないため、特別な処理設備が必要となり、還元剤を用いる方法は、水中での効果がないため廃水等の処理を行うことは困難であった。また活性炭等の吸着剤を用いる方法は有機ハロゲン化物前駆体等を吸着した吸着剤を安全に処理しなければならないという問題があった。
【０００６】
本発明は上記の点に鑑みなされたもので、廃棄物中に含まれる有機ハロゲン化物を分解したり、廃棄物中で有機ハロゲン化物が生成されるのを抑制し、廃棄物中の有機ハロゲン化物量を低減化することのできる方法を提供することを目的とする。
【０００７】
【課題を解決するための手段】
即ち本発明は、廃棄物を、マイナスイオンを発生する天然物質と接触させて処理することを特徴とする廃棄物中の有機ハロゲン化物量の低減化方法を要旨とするものである。本発明の廃棄物中の有機ハロゲン化物量の低減化方法は、廃棄物を焼却して生成した有機ハロゲン化物を含む排煙を、マイナスイオンを発生する天然物質と接触させて処理する方法、廃棄物を焼却して生成した飛灰に、マイナスイオンを発生する天然物質を添加して処理する方法、マイナスイオンを発生する天然物質の存在下で廃棄物を焼却する方法を包含する。本発明方法において、マイナスイオンを発生する天然物質としては、水晶、電気石、麦飯石、蛍石、石英から選ばれた１種又は２種以上が好適に用いられる。
【０００８】
【発明の実施の形態】
本発明においてマイナスイオンを発生する天然物質（以下、マイナスイオン発生物質と呼ぶことがある。）としては、水晶、電気石、麦飯石、蛍石、石英等が挙げられるが、中でも電気石、麦飯石が好ましい。マイナスイオン発生物質は２種以上を併用することができる。またこれらのマイナスイオン発生物質は、１０ｍｍ〜０．１μｍ程度の粒状又は粉末状として使用することが好ましい。
【０００９】
本発明方法は、上記マイナスイオン発生物質に廃棄物を接触させることにより、廃棄物中の有機ハロゲン化物量を低減化させることができる。本発明において廃棄物は固体でも、液体でも、気体であっても良い。本発明方法は、廃棄物中における有機ハロゲン化物量を最終的に低減化することを目的とするものであって、処理前の廃棄物中に含有されている有機ハロゲン化物量を低減化させる場合はもとより、廃棄物を焼却した際等に生成する可能性のある有機ハロゲン化物を、処理することによって、その生成量を低減化させる場合も包含する。
【００１０】
廃棄物をマイナスイオン発生物質と接触させることにより、廃棄物中の有機ハロゲン化物量を低減化できる理由は定かではないが、マイナスイオン発生物質から発生したマイナスイオンの作用で、一旦生成した有機ハロゲン化物量が減少したり、有機ハロゲン化物の生成が抑制されるのではないかと考えられる。従って、マイナスイオン発生物質に、熱、振動、摩擦等が加わるような条件下で、マイナスイオン発生物質から多量のマイナスイオンが発生するようにして処理を行うことが好ましい。
【００１１】
本発明方法を廃棄物焼却の際に適用する場合、廃棄物を焼却して生成した排煙にマイナスイオン発生物質を接触させる方法が採用される。排煙をマイナスイオン発生物質と接触させる具体的方法としては、煙道内にマイナスイオン発生物質の粉末を噴霧する方法、排煙中の飛灰を除去するバグフィルター内にマイナスイオン発生物質を含有させておき、バグフィルターを通過する排煙をマイナスイオン発生物質と接触させる方法等が挙げられる。
【００１２】
バグフィルターを通過させる前の排煙中には飛灰が分散されており、飛灰中にも有機ハロゲン化物が含有されている可能性があり、飛灰中の有機ハロゲン化物量は、排煙中の有機ハロゲン化物量よりも多いことがある。このため、バグフィルターを通過させる前に、煙道中にマイナスイオン発生物質の粉末を噴霧する等して排煙をマイナスイオン発生物質と接触させると、排煙中の有機ハロゲン化物とともに飛灰中の有機ハロゲン化物も、一回の処理で同時に処理することができる。また、バグフィルターを通過させる前の排煙をマイナスイオン発生物質と接触させて処理した後、更にマイナスイオン発生物質を含むバグフィルターを通過させて処理する等の方法も採用することができる。排煙をマイナスイオン発生物質と接触させる際の温度は、９００〜１００℃が好ましい。また排煙に対するマイナスイオン発生物質の割合は、排煙１ｍ３当たり１０〜１０００ｍｇが好ましい。
【００１３】
排煙中から分離した飛灰は、マイナスイオン発生物質を添加して加熱混練する等によって、飛灰中に含まれる有機ハロゲン化物量を低減化処理することができる。この飛灰は、マイナスイオン発生物質と接触させて処理した排煙から分離したものであっても、マイナスイオン発生物質と接触処理する前の排煙から分離したものであっても良い。バグフィルターを通過させる前の排煙をマイナスイオン発生物質と接触させて処理した場合、排煙に分散している飛灰中の有機ハロゲン化物量は低減化されているが、排煙から分離した飛灰を更にマイナスイオン発生物質と接触させて処理すると、飛灰中の有機ハロゲン化物量を更に低減化することができる。飛灰のような固体を処理する場合、加熱したり混練しながら処理することが好ましい。具体的には、１２０〜５００℃で、５〜２００分混練することが好ましい。また飛灰に対するマイナスイオン発生物質の割合は、０．１〜１０重量％が好ましい。
【００１４】
廃棄物を焼却する際に、マイナスイオン発生物質を共存させておくと、廃棄物を焼却した際の有機ハロゲン化物の生成を抑制することができ、排煙や飛灰中に含まれる有機ハロゲン化物量を低減化できる。この場合は、廃棄物を焼却する際の焼却炉中にマイナスイオン発生物質を添加して廃棄物を焼却する方法が採用される。マイナスイオン発生物質の添加量は、消却する廃棄物量の０．０１〜１０重量％が好ましい。マイナスイオン発生物質の存在下に廃棄物を焼却することにより、排煙や飛灰中に含有される有機ハロゲン化物量を低減化することができるが、更に排煙をマイナスイオン発生物質と接触させたり、排煙から分離回収した飛灰にマイナスイオン発生物質を添加して加熱処理しても良い。
【００１５】
廃水等の液体の場合には、例えばマイナスイオン発生物質をカラムに充填し、このカラムに廃水等の液体を導入して処理する。この場合、通水速度は０．１〜３０ＳＶが好ましい。
【００１６】
以下、実施例により本発明を詳細に説明する。
【実施例】
実施例１
廃棄物を焼却した際に生じた排煙に、煙道中で排煙温度２５０℃にて、電気石粉末を２００ｍｇ／Ｎｍ３の割合で噴霧した。処理後の排煙から飛灰を分離した後、排煙中に含まれる有機ハロゲン化物の濃度を測定したところ、マイナスイオン発生物質を噴霧する前は８ｎｇ−ＴＥＱ／Ｎｍ３であったものが、噴霧後には０．７８ｎｇ−ＴＥＱ／Ｎｍ３となっていた。
【００１７】
実施例２
排煙から分離した飛灰に、飛灰重量の３重量％相当量の電気石粉末を添加し、２５０℃で３０分間混練して処理した。処理前の飛灰中の有機ハロゲン化物濃度は９ｎｇ−ＴＥＱ／ｇであったが、処理後には０．５ｎｇ−ＴＥＱ／ｇに減少していた。
【００１８】
実施例３
平均直径１ｍｍの電気石粒子をカラムに充填し、有機ハロゲン化物を含む廃水を、１時間あたり充填量の３倍の速度で通水して処理した。処理前の廃水中の有機ハロゲン化物濃度は０．０６ｎｇ／リットルであったが、処理後には０．０００２ｎｇ／リットルに減少していた。
【００１９】
実施例４
焼却炉内で、電気石粉末を３０重量％含有するゴミ袋に収納した廃棄物を焼却した。電気石粉末を含有しないゴミ袋に収納した廃棄物を焼却した排煙中には有機ハロゲン化物が３．５ｎｇ−ＴＥＱ／Ｎｍ３含有されていたが、電気石粉末を含むゴミ袋に収納して焼却した場合、排煙中に含まれる有機ハロゲン化物は０．３０ｎｇ−ＴＥＱ／Ｎｍ３であった。
【００２０】
【発明の効果】
本発明方法は、廃棄物をマイナスイオンを発生する天然物質と接触させて処理することにより、生成した有機ハロゲン化物を分解する等によりその濃度を低減化したり、廃棄物中で有機ハロゲン化物が生成するのを抑制し、その結果、廃棄物中における有機ハロゲン化物量を低減化することができる。また本発明で使用するマイナスイオンを発生する天然物質は、化学物質のように新たな公害問題を引き起こす等の問題もなく、安全に廃棄物を処理することができる。